(57)【要約】【課題】階段等の傾斜した空間においても最適な照度を得るとともに、汎用性を向上させる。【解決手段】反射板１０は、直管形ランプＬから発せられた光を反射するものであって、複数の反射面１０Ａ〜１０Ｃを有し、複数の反射面１０Ａ〜１０Ｃ毎にそれぞれ取付穴１１Ａ〜１１Ｃが設けられている。【選択図】図３
2014229471.tif 000002
【特許請求の範囲】
【請求項１】
直管形ランプから発せられる光を反射する反射板であって、
前記直管形ランプの長手方向に延びた複数の反射面を有し、前記複数の反射面毎に取付穴が設けられている
ことを特徴とする反射板。
【請求項２】
３つの前記反射面が形成されるように折り曲げられていることを特徴とする請求項１に記載の反射板。
【請求項３】
直管形ランプが取り付けられる器具本体と、
前記器具本体に前記直管形ランプを囲うように取り付けられ、光透過性のカバーを有する筐体と、
前記器具本体と前記直管形ランプとの間に取り付けられる請求項１または２に記載の反射板と
を備えたことを特徴とする照明装置。
【請求項４】
前記反射板は、複数の前記取付穴のいずれかを用いて取り付けることにより、前記直管形ランプの配光方向を上方向、下方向もしくは正面方向のいずれかに設定することを特徴とする請求項３に記載の照明装置。
【発明の詳細な説明】
【技術分野】
【０００１】
本発明は、直管形ランプから発せられた光を反射する反射板及びこれを用いた照明装置に関するものである。
【背景技術】
【０００２】
階段や傾斜路の照明（もしくは誘導灯）として、直管形ランプを筐体に収容した照明装置が知られている。ここで、階段や傾斜路のような傾斜を有する空間において適正な配光を得るために種々の反射板の取付構造が提案されている（例えば特許文献１参照）。特許文献１には、上り階段用の反射面と下り階段用の反射面とが上下に並べて形成された反射板を有し、折り返し階段の上り階段及び下り階段の双方に適正な配光で照明を行うことができる階段灯が開示されている。
【０００３】
また、蛍光灯等を用いた一般的な照明装置において、照明器具に対する取付角度を可変に設定できる反射板が提案されている（例えば特許文献２参照）。特許文献２において、反射板はアーチ状に形成されており、所望の照射角度となるように磁石により照明装置へ可変に取り付けられる反射板が開示されている。
【先行技術文献】
【特許文献】
【０００４】
【特許文献１】特開平０２−１９７００６号公報
【特許文献２】特開２００８−１２３７１５号公報
【発明の概要】
【発明が解決しようとする課題】
【０００５】
特許文献１に示すように、反射板が照明器具に固定された場合、上部のみに配光を行う照明装置もしくは下部のみに配光を行う照明装置が必要になったときに別途照明装置を用意しなければならず、コストが掛かってしまう。また、階段に用いられる照明装置は防災の観点から確実に照明を行う必要があり、特許文献２に示すように、反射板が磁石により照明器具に取り付けられた場合、階段灯のように非常時においても確実に所定の照度が得られるようにするためには、反射板の取付強度の信頼性が低い。
【０００６】
本発明は、上記のような課題を解決するためになされたものであり、反射板の取付強度を確保しながら配光方向を自在に設定することができる反射板及び照明装置を提供することを目的としている。
【課題を解決するための手段】
【０００７】
本発明の反射板は、直管形ランプから発せられる光を反射する反射板であって、直管形ランプの長手方向に延びた複数の反射面を有し、複数の反射面毎に取付穴が設けられていることを特徴とする。
【発明の効果】
【０００８】
本発明の反射板によれば、複数の反射面毎にそれぞれ取付穴が設けられていることにより、異なる取付穴を用いて器具本体に固定することで異なる配光特性を得ることができるため、反射板を照明器具に確実に固定しながら配光分布を自在に設定することができるとともに、照明装置の汎用性を向上させることができる。
【図面の簡単な説明】
【０００９】
【図１】本発明の反射板を用いた照明装置の好ましい実施形態を示す外観斜視図である。
【図２】本発明の照明装置の好ましい実施形態を示す分解斜視図である。
【図３】図２の照明装置における反射板の一例を示す斜視図である。
【図４】図３の反射板における取付穴の一例を示す斜視図である。
【図５】図３及び図４の反射板が器具本体に取り付けられた様子を示す模式図である。
【図６】図３及び図４の反射板が器具本体に取り付けられた様子を示す模式図である。
【図７】図３及び図４の反射板が器具本体に取り付けられた様子を示す模式図である。
【図８】図５から図７の照明装置を階段に設置した例を示す模式図である。
【発明を実施するための形態】
【００１０】
以下、図面を参照しながら本発明の反射板及びこれを用いた照明装置の実施形態について説明する。図１は本発明の反射板を用いた照明装置の好ましい実施形態を示す外観斜視図である。図１の照明装置１は、例えば階段照明として階段の壁面に設置されるものであって、器具本体２、筐体３、直管形ランプＬ、反射板１０を備えている。
【００１１】
器具本体２は、階段の壁面等に固定されるものであって、例えば金属板を折り曲げ加工することにより形成されている。筐体３は、器具本体２に着脱可能に取り付けられたものであって、枠体３Ａと透光カバー３Ｂ、３Ｃ、３Ｄを備えている。枠体３Ａは矩形状に形成されており、背面側において器具本体２に着脱可能に取り付けられている。また、枠体３Ａの前面及び上下面にはそれぞれ透光カバー３Ｂ、３Ｃ、３Ｄが配置されている。そして、直管形ランプＬから発せられた光は筐体３の透光カバー３Ｂ〜３Ｄを透過して階段を照明する。
【００１２】
器具本体２には、通常時点灯装置４Ａ、非常時点灯装置４Ｂ、ソケット５、反射板取付部６が取り付けられている。ソケット５は、器具本体２の両端にそれぞれ固定されており、２つのソケット５に直管形ランプＬの口金が取り付けられる。通常時点灯装置４Ａ及び非常時点灯装置４Ｂは、それぞれソケット５に電気的に接続されており、通常時と非常時とにおいて接続が切り替えられるようになっている。そして、通常時点灯装置４Ａは、通常時に直管形ランプＬに駆動電力を供給し、非常時点灯装置４Ｂは、停電等の非常時に直管形ランプＬに駆動電力を供給する。反射板取付部６は、各ソケット５の内側にそれぞれ設けられており、例えばネジ等の固定部材２０を挿入するための穴からなっている。
【００１３】
図３は、図２の照明装置における反射板の一例を示す斜視図、図４は図３の反射板の取付穴の一例を示す斜視図である。図３の反射板１０は、１枚のアルミニウム等の金属板を同一方向へ複数の曲げ加工が施されたものであって、複数の反射面１０Ａ〜１０Ｃを有している。例えば反射板１０には２箇所において折り曲げることにより、第１反射面１０Ａ、第２反射面１０Ｂ、第３反射面１０Ｃが形成されている。複数の反射面１０Ａ〜１０Ｃ毎にそれぞれ取付穴１１Ａ〜１１Ｃが両端側に設けられており、取付穴１１Ａ〜１１Ｃのいずれにおいても反射板取付部６に取り付け可能な状態になっている。
【００１４】
図５〜図７は、図３及び図４の反射板が器具本体に取り付けられた様子を示す模式図である。図５に示す照明装置１Ａは、反射板１０が第１反射面１０Ａの取付穴１１Ａにおいて器具本体２に固定されたものである。この場合、反射板１０は、前面の透光カバー３Ｂ側へ光を反射するような配光方向Ｌ１に設定される。一方、図６に示す照明装置１Ｂは、反射板１０が第２反射面１０Ｂの取付穴１１Ｂにおいて器具本体２に固定されたものである。この場合、反射板１０は、上面の透光カバー３Ｄ側への光を反射するような配光方向Ｌ２に設定される。また、図７に示す照明装置１Ｃは、反射板１０が第３反射面１０Ｃの取付穴１１Ｃにおいて器具本体２に固定されたものである。この場合、反射板１０は、下面の透光カバー３Ｃ側への光を反射するような配光方向Ｌ３に設定される。
【００１５】
図８は、図５から図７の照明装置１Ａ〜１Ｃを階段に設置した例を示す模式図である。図８において、上り階段への照明として上方に配光方向Ｌ２が設定された照明装置１Ｂ（図６参照）が設置されるとともに、下り階段への照明として下方に配光方向Ｌ３が設定された照明装置１Ｃ（図７参照）が設置される。そして、上り階段及び下り階段の双方への照明として正面に配光方向Ｌ１が設定された照明装置１Ａ（図５参照）が設置される。このように、反射板１０の取付位置を変更するにより、照明装置１Ａ〜１Ｃの配光特性を変更することができるため、照明装置の汎用性を向上させることができる。すなわち、階段もしくは傾斜路に設置される照明装置の場合、階段の傾斜や階段の長さにより必要な照度を確保するための反射板の角度設定が難しいという。特に、非常用の照明装置は床面水平面照度が２ルクス以上を確保しなければならない。したがって、照射方向が所定の方向に固定された従来の照明装置では階段などで必要照度が確保できない場合があり、追加で別器具を設置する必要がある。
【００１６】
一方、図３及び図４に示す反射板１０は、複数の取付穴１１Ａ〜１１Ｃを有しているため、設置場所及び用途に合わせて配光方向Ｌ１〜Ｌ３を適宜設定することができる。上述のように、反射板１０の取付位置を変更することにより、複数の照射方向への使い分けを可能にし、追加器具を設置することなく必要な照度を確保することができる。また、反射板１０はネジ等の固定部材２０を用いて固定されているため、非常時においても確実に一定の照度が得られるような取付強度にすることができる。さらに、取付穴１１Ａで反射板１０の各反射面１０Ａを器具本体２に固定することにより、配光方向が正面へ設定することができるため、階段用途以外の照明装置にも適用することができる。
【００１７】
本発明の実施形態は、上記各実施形態に限定されない。例えば、１枚の反射板１０が１対のソケット５の内側全長の長さを有する場合について例示しているが、複数枚の反射板１０が長手方向に配列されたものであってもよい。例えば２枚の反射板１０が長手方向に配列され、一方の反射板１０は上への照射に設定し（図６参照）、他方の反射板１０は下への照射に設定する（図７参照）等の同一の照明装置１内において複数方向への照射を可能とすることもできる。
【００１８】
また、図３の反射板は、３つの反射面１０Ａ〜１０Ｃを有する場合について例示しているが、３面以上の反射面が形成されたものであってもよいし、円弧状に形成されたものであってもよい。また、取付穴１１Ａ〜１１Ｃが略円形状に形成された場合について例示しているが、反射面１０Ａ〜１０Ｃの幅方向に延びた形状を有していてもよい。これにより、反射板１０の取付位置の微調整も可能になり、階段の傾斜角度に合った配光を得ることができる。また、図３において、取付穴１１Ａ〜１１Ｃは反射板１０の両端に設けられている場合について例示しているが、反射板１０のいずれの位置に設けられていても良い。さらに、一端側のみ取付穴１１Ａ〜１１Ｃが設けられており、他端側においてはレール等により保持されたものであってもよい。
【符号の説明】
【００１９】
１、１Ａ、１Ｂ、１Ｃ  照明装置、２  器具本体、３  筐体、３Ａ  枠体、３Ｂ、３Ｃ、３Ｄ  透光カバー、４Ａ  通常時点灯装置、４Ｂ  非常時点灯装置、５  ソケット、６  反射板取付部、１０  反射板、１０Ａ  第１反射面、１０Ｂ  第２反射面、１０Ｃ  第３反射面、１１Ａ、１１Ｂ、１１Ｃ  取付穴、２０  固定部材、Ｌ  直管形ランプ。
【図１】
2014229471.tif 000003
【図２】
2014229471.tif 000004
【図３】
2014229471.tif 000005
【図４】
2014229471.tif 000006
【図５】
2014229471.tif 000007
【図６】
2014229471.tif 000008
【図７】
2014229471.tif 000009
【図８】
2014229471.tif 000010